(57)【要約】  【課題】  本発明は、フロアパネルと壁際等に敷設するボ−ダ−部材等との間にクリアランスを緩衝自在に形成せしめ、フロアパネルや溝カバ−パネルの熱膨張・熱収縮による大小の衝撃力を緩和せしめつつ逃がして両者の接合部における破損やフリ−アクセスフロア自体の膨れ上り等を確実に防止せしめることが出来るのみならず、施工現場において所要の長さに切断加工せしめることが出来る安価なフリ−アクセスフロア用クリアランスバ−を提供するものである。  【解決手段】  フロアパネル６を構成する載置部８に嵌着自在とされた長尺状の断面略下向きコ字形状クリアランスバ−本体２と、該クリアランスバ−本体２の少くとも一側の長手方向に沿って突条形成された弾性を有する緩衝片４とより構成されている。また、上記クリアランスバ−本体２と緩衝片４とは合成樹脂材により一体形成されている。  【選択図】        図１
2005048482.tif 000002
【特許請求の範囲】
【請求項１】
フロアパネル６を構成する載置部８に嵌着自在とされた長尺状の断面略下向きコ字形状クリアランスバ−本体２と、該クリアランスバ−本体２の少くとも一側の長手方向に沿って突条形成された弾性を有する所要幅の緩衝片４とより構成されてなることを特徴とする
、フリ−アクセスフロア用クリアランスバ−。
【請求項２】
上記クリアランスバ−本体２と緩衝片４とが合成樹脂材により一体形成されてなることを特徴とする、請求項１記載のフリ−アクセスフロア用クリアランスバ−。
【発明の詳細な説明】
【技術分野】
【０００１】
本発明は、フリ−アクセスフロアに緩衝自在なクリアランスを設けるさいに使用するフリ−アクセスフロア用クリアランスバ−に関する。
【背景技術】
【０００２】
従来より、フリ−アクセスフロアとしては、外周縁に沿って所要数の載置部を備えた方形体状の合成樹脂製支柱一体型フロアパネルを所要の基準床上に所定間隔でもって敷設すると共に、相隣る各フロアパネル間に各々載置部を介して方形板状の金属製溝カバ−パネルを架設状に嵌着載置せしめ、該各溝カバ−パネルと両側フロアパネルとの間に配線用溝スペ−スを区画形成せしめるべく構成されたものが知られている。
【０００３】
そして、上述の如く構成された従来のフリ−アクセスフロアは、配線用溝スペ−ス内にＯＡ機器等のケ−ブル類や電線管などを敷設せしめ、また、後発的にフリ−アクセスフロアのレイアウトや改装などを行うさいには溝カバ−パネルを取外して配線を簡単に増設せしめるものとされている。
【０００４】
ところで、上記従来のフリ−アクセスフロアは、載置部を備えた支柱一体型フロアパネルと溝カバ−パネルを施工寸法通りに正確に位置合せして施工せしめた場合においても、気温の変化や太陽光の入射などによりフロアパネルや溝カバ−パネルが熱膨張・熱収縮を生起せしめ、ひいては、両者の接合部が破損したり、あるいは、フリ−アクセスフロア自体が膨れ上り、壁際に大きな隙間を発生せしめる等の問題点を惹起せしめるものである。特に、フロアパネルは合成樹脂材、溝カバ−パネルは金属材と、それぞれ熱膨張係数の相違する材質により形成されているものであるから、熱膨張や熱収縮の悪影響を非常に受けやすいものである。
【０００５】
かかる従来のフリ−アクセスフロアにおける問題点を解決するものとして、特開平８−７４４０６号公報（特許文献１）には、載置部を備えた支柱一体型フロアパネルの外側縁に凹部が形成されると共に、該凹部内に弾性を有する緩衝舌片が外方突出状に設けられてなり、上記緩衝舌片でもって載置部に嵌合状に載置せしめた溝カバ−パネルを外方に付勢せしめつつ、フロアパネル側縁との間にクリアランスを形成せしめるべく構成されたものが開示されている。
【０００６】
そして、上述の如く構成された従来例は、フロアパネルや溝カバ−パネルの熱膨張・熱収縮により発生する衝撃力を緩衝舌片でもって緩和せしめつつクリアランスに逃がすものとされている。
【０００７】
しかしながら、上記従来例は、フロアパネル側縁と載置する溝カバ−パネルとの間に緩衝舌片を介してクリアランスを形成せしめるにすぎないものであるから、かかるクリアランスは必然的に小さいものとなり、ひいては、フロアパネルや溝カバ−パネルの熱膨張・熱収縮により大きな衝撃力が発生した場合には対処することが出来ないのみならず、緩衝舌片自体の緩衝力も非常に弱いものとならざるを得ないものである。また、クリアランスは上述の如くフロアパネルの外側に凹部を形成すると共に、該凹部内に緩衝舌片を形成せしめるものであるから、フロアパネル自体の構造が複雑化し、その製作が非常に面倒で手間がかかるのみならず、コスト高となりやすいものである。
【特許文献１】特開平８−７４４０６号公報
【発明の開示】
【発明が解決しようとする課題】
【０００８】
上述の如く、従来例においてはフロアパネルや溝カバ−パネルの熱膨張・熱収縮による大きな衝撃力に対処することが出来ないのみならず、構造が複雑化し、その製作が面倒で手間がかかり、コスト高となりやすいものである。
【０００９】
本発明はかかる従来例の問題点を解決しようとするもので、支柱一体型フロアパネルの載置部に嵌着載置せしめつつ、ボ−ダ−パネルなど壁際や柱際に敷設するボ−ダ−部材との間にクリアランスを緩衝自在に形成せしめ、フロアパネルや溝カバ−パネルの熱膨張・熱収縮による大小の衝撃力を緩和せしめつつ有効に逃がし、両者の接合部における破損やフリ−アクセスフロア自体の膨れ上り等を確実に防止せしめることが出来るのみならず、施工現場において所要の長さに切断加工して容易に施工することが出来る安価なフリ−アクセスフロア用クリアランスバ−を提供するにある。
【課題を解決するための手段】
【００１０】
上記の目的を達成するため、本発明の請求項１記載の発明は、フロアパネルを構成する載置部に嵌着自在とされた長尺状の断面略下向きコ字形状クリアランスバ−本体と、該クリアランスバ−本体の少くとも一側の長手方向に沿って突条形成された弾性を有する所要幅の緩衝片とより構成されてなることを特徴とする、フリ−アクセスフロア用クリアランスバ−を要旨とするものである。
【００１１】
また、本発明の請求項２記載の発明は、クリアランスバ−本体と緩衝片とが合成樹脂材により一体形成されてなることを特徴とする、請求項１記載のフリ−アクセスフロア用クリアランスバ−を要旨とするものである。
【発明の効果】
【００１２】
請求項１記載の発明は上述のように構成されているから、クリアランスバ−本体をフロアパネルの載置部に嵌着載置せしめることにより簡単にセットせしめ、緩衝片を介してボ−ダ−パネルなど壁際・柱際に敷設するボ−ダ−部材との間にクリアランスを緩衝自在に形成せしめることが出来るものであって、ひいては、フロアパネルや溝カバ−パネルの熱膨張・熱収縮による大小の衝撃力を緩和せしめつつ有効に逃がし、両者の接合部における破損、あるいは、フリ−アクセスフロア自体の膨れ上り等を常に確実に防止せしめることが出来るものである。
【００１３】
請求項２記載の発明は上述のように構成されているから、クリアランスバ−を容易に、しかも、安価に製作することが出来るのみならず、施工現場において適宜所要の長さに切断加工し、施工に供することが出来るものである。
【発明を実施するための最良の形態】
【００１４】
以下に、本発明を実施するための最良の形態を図面に示す一実施例に基づいて説明する
。
【実施例１】
【００１５】
図１〜図３は本発明の一実施例を示すもので、同図中、１は長尺状とされた合成樹脂製クリアランスバ−、２は該クリアランスバ−１を構成する断面下向きコ字形状とされたクリアランスバ−本体で、該クリアランスバ−本体２は後記する支柱一体型フロアパネル６の載置部８に嵌合載置せしめるべく所要の幅に設定せしめられている。３は上記クリアランスバ−本体２の長手方向に沿ってその頂壁内面に突設された所要条の突条、４は同クリアランスバ−本体２の長手方向に沿ってその一外側上端部に側方へ向けて突条形成された弾性を有する略下向き湾曲状緩衝片で、該緩衝片４は所定のクリアランス５を形成せしめるべく所要の幅に設定せしめられている。
【００１６】
その他、６は下端に所要数の支柱７を備えた方形体状の合成樹脂製支柱一体型フロアパネル、８は該フロアパネル６の外周縁に沿って形成された所要数の略筒状載置部である。９は上記載置部８に嵌着自在とされた長方形状の金属板製溝カバ−パネルで、該溝カバ−パネル９の長さはフロアパネル６とほぼ同長に形成されると共に、その外周縁には掛止用フランジ（図示略）が下方突出状に周設されている。１０は上記載置部８に嵌着載置自在とされた正方形状の金属板製溝カバ−パネルで、該溝カバ−パネル１０の幅は区画形成せしめるべき溝幅とほぼ同幅状に形成されると共に、その外周縁には掛止用フランジ（図示略）が下方突出状に周設されている。１１は下端に所要数の支柱１２を備えた方形スノコ状の合成樹脂製支柱一体型ボ−ダ−パネル、１３は幅木、１４はカ−ペット、１５は基準床、１６は配線用溝スペ−スを各々示す。
【００１７】
上述の如く構成された実施例は、図２に示すように、基準床１５上にフロアパネル６を所定間隔をもって置敷状に敷設すると共に、相隣る各フロアパネル６間に各々載置部８を介して長方形状の溝カバ−パネル９と正方形状の溝カバ−パネル１０を適宜架設状に嵌着載置せしめ、該各溝カバ−パネル９・１０と相隣るフロアパネル６との間に配線用溝スペ−ス１６を区画形成せしめる。
【００１８】
そして、基準床１５の壁際など所要のボ−ダ−個所においては、最外側に位置するフロアパネル６との間に所定のクリアランス５を保持せしめつつボ−ダ−パネル１１を直列状に敷設せしめる。しかるのち、クリアランスバ−１のクリアランスバ−本体２を最外側に位置するフロアパネル６の外側載置部８に嵌着せしめると共に、緩衝片４の自由端をボ−ダ−パネル１１の外側面に当接せしめ、緩衝自在なクリアランス５を形成せしめる。このさい、クリアランスバ−１は施工現場において適宜所要の長さに切断加工せしめて施工に供するとよい。そして、気温の変化などによりフロアパネル６・溝カバ−パネル９・１０
・ボ−ダ−パネル１１が熱膨張し、あるいは熱収縮して大小の衝撃力を発生せしめた場合においては、緩衝片４によりその衝撃力を緩和せしめつつクリアランス５に逃がし、各接合部における破損やフリ−アクセスフロア自体の膨れ上り等を確実に防止せしめ得るものである。
【００１９】
なお、上記実施例において、クリアランスバ−本体２の一側に緩衝片４を突条形成するものとされているが、これに限定されるものでなく、必要に応じて他側にも小片状の緩衝片を突条形成せしめてもよいものである。
【図面の簡単な説明】
【００２０】
【図１】本発明の一実施例を示す一部拡大斜視図である。
【図２】実施例１のクリアランスバ−１の使用状態を示す斜視図である。
【図３】実施例１のクリアランスバ−１の使用状態を示す一部拡大断面である。
【符号の説明】
【００２１】
１    クリアランスバ−
２    クリアランスバ−本体
４    緩衝片
５    クリアランス
６    フロアパネル
８    載置部
【図１】
2005048482.tif 000003
【図２】
2005048482.tif 000004
【図３】
2005048482.tif 000005